(57)【要約】【課題】著作物の複写に対する料金の徴収システムを比較的低コストで実現しつつ、複写が正当に行われたことを複写物から判別できる複写管理システムを提供する。【解決手段】複写機１０は、書籍に形成されたバーコードからなる識別情報を読み取るバーコードリーダ７０を備えると共に複写に先立ってバーコードリーダ９０により読み取られた識別情報及び設定された複写条件を著作権管理サーバ２００に送信し、著作権管理サーバ２００は、識別情報に対応する著作物の著作権情報を特定すると共に特定した著作権情報及び複写条件に基づいて複写に対する料金を決定して複写機１０へ送信する、【選択図】図１
2006270243.tif 000002
【特許請求の範囲】
【請求項１】
著作権情報を管理する著作権管理サーバと、前記著作権管理サーバに通信手段により接続され得る複写装置とを有する複写管理システムであって、
前記複写装置は、被複写物に形成された識別情報を読み取る識別情報読取手段を備えると共に複写に先立って前記識別情報読取手段により読み取られた識別情報及び設定された複写条件を著作権管理サーバに送信し、
前記著作権管理サーバは、前記識別情報に対応する著作物の著作権情報を特定すると共に特定した著作権情報及び前記複写条件に基づいて複写に対する料金を決定して前記複写装置へ送信する、
ことを特徴とする複写管理システム。
【請求項２】
前記著作権管理サーバは、前記料金の支払を条件に複写に対する認証情報を発行して前記複写装置へ送信し、
前記複写装置は、被複写物から読み取った画像に前記認証情報を付加して複写媒体へ出力する、
ことを特徴とする請求項１に記載の複写管理システム。
【請求項３】
前記複写装置は、読み取った複数の画像のそれぞれに前記認証情報を付加して一の複写媒体に出力し得る、
ことを特徴とする請求項２に記載の複写管理システム。
【発明の詳細な説明】
【技術分野】
【０００１】
本発明は、複写管理システムに関し、特に、複写装置による著作物の複写を管理するシステムに関する。
【背景技術】
【０００２】
例えば、書籍、画集等に掲載された小説、絵画、写真等の著作物には、対価の支払いを条件に複写(複製)が可能なものも存在する。このような著作物がコピー機等により無断で複写されて公衆に頒布されるのを許すと、著作権者等の保護を図ることができない。
コピー機による著作物の不正コピーを防止する技術として、例えば、著作物が掲載された原稿を複写するに際して、原稿に形成された国際標準図書番号等の識別情報をバーコードリーダにより読み取り、この識別情報から対応する著作物の著作権情報を特定し、この著作権情報に基づいて複写に対する料金を徴収すると共に、原稿から読み取った画像に著作権情報の電子透かしを組み込んでプリンタ等により複写物を出力する原稿読取装置が開示されている（例えば、特許文献１を参照）。
【０００３】
【特許文献１】特開２００２−３１４７８７号公報
【発明の開示】
【発明が解決しようとする課題】
【０００４】
ところで、上記の技術により複写された複写物は、いつ、どこで、どのようなコピー機により複写されたか等の情報がないため、複写が正当に行われたものであるか、即ち、複写に対する対価が適切に支払われたうえで複写されたものであるかを複写物から判別することができない。
また、上記の技術においては、著作権情報を原稿読取装置側において記憶しておいて原稿読取装置で課金処理を行うため、原稿読取装置における情報処理量が大きく、又、情報の秘密保持が必要となり、装置コストが高くなるという問題がある。
【０００５】
本発明は、上記の事情に鑑みて成されたものであり、その目的とするところは、著作物の複写に対する料金の徴収システムを比較的低コストで実現しつつ、複写が正当に行われたことを複写物から判別できる複写管理システムを提供することにある。
【課題を解決するための手段】
【０００６】
本発明に係る複写管理システムは、著作権情報を管理する著作権管理サーバと、著作権管理サーバに通信手段により接続され得る複写装置とを有する複写管理システムであって、複写装置は、被複写物に形成された識別情報を読み取る識別情報読取手段を備えると共に複写に先立って識別情報読取手段により読み取られた識別情報及び設定された複写条件を著作権管理サーバに送信し、著作権管理サーバは、識別情報に対応する著作物の著作権情報を特定すると共に特定した著作権情報及び前記複写条件に基づいて複写に対する料金を決定して前記複写装置へ送信する、ことを特徴としている。
この構成によれば、複写に対して対価の支払いが必要な書籍等の被複写物の内容を複写装置により複写するに際して、先ず、被複写物に形成された識別情報を識別情報読取手段により読み取り、著作権管理サーバに送信すると共に、複写枚数等の複写条件を著作権管理サーバに送信する。著作権管理サーバでは、識別情報に対応する著作権情報を検索し、この著作権情報及び複写条件に基づいて複写に対する料金を決定し、複写装置に送信する。このように、本発明では、複写装置側においては著作権情報を保持せずに識別情報及び複写条件を著作権管理サーバに送信するだけであり、著作権管理サーバにおいて著作権情報の管理及び著作物の複写に要する料金の計算を一括して行うため、複写装置側の処理負担を大幅に軽減できて複写装置のコストを低減できる。
【０００７】
上記構成において、著作権管理サーバは、料金の支払いを条件に複写に対する認証情報を発行して複写装置へ送信し、複写装置は、被複写物から読み取った画像情報に認証情報を付加して複写媒体へ出力する、構成を採用できる。
この構成によれば、複写媒体に出力された画像に、例えば、著作権情報、複写日時、複写場所、複写装置の機種等からなる認証情報が付加されるので、認証情報から複写物が正当に複写されたものであるか判別が可能となる。
【０００８】
上記構成において、複写装置は、読み取った複数の画像のそれぞれに認証情報を付加して一の複写媒体に出力し得る、構成を採用できる。
この構成によれば、異なる被複写物からそれぞれ画像情報を読み取って一の複写媒体に出力するような場合に、画像毎に正当に複写されたものであるかを判別できる。
【発明の効果】
【０００９】
本発明によれば、著作物の複写に対する料金の徴収システムを比較的低コストに構築することができる。
また、本発明によれば、複写が正当に行われたことを複写物から判別することが可能となる。
【発明を実施するための最良の形態】
【００１０】
以下、本発明の最良の実施形態について、添付図面を参照しつつ説明する。
図１ないし図３は、本発明の複写管理システムの一実施形態を示すものであり、図１は複写管理システムの構成図、図２は複写機の機能ブロック図、図３は複写機に備わるコントロールパネルの外観図である。
【００１１】
この複写管理システムは、図１に示すように、複写装置としてのディジタル複写機１０（以下、複写機１０）、著作権管理サーバ２００等を備えており、複写機１０と著作権管理サーバ２００とは、通信手段としてのネットワーク３００により接続される。尚、本実施形態では、複写機１０は、公衆の使用に供することを目的として、例えば、コンビニエンスストア等に設置されることを前提としており、多数の複写機１０が共通の著作権管理サーバ２００に接続可能となっている。
【００１２】
複写機１０は、図２に示すように、制御部２０、通信部３０、画像読取部４０、画像処理部５０、画像形成部６０、出力部７０、コントロールパネル８０、識別情報読取手段としてのバーコードリーダ９０、コインキット１００等を備える。
【００１３】
制御部２０は、プロセッサ、メモリ、所要のソフトウエア等により構成され、複写機１０を総合的に制御する。
通信部３０は、ネットワーク３００に接続されて、著作権管理サーバ２００等との間で各種データを送受信する。
画像読取部４０は、書籍、画集等の被複写物の画像を周知の光学的読取手段により読み取って電子画像情報に変換する。
画像処理部５０は、画像読取部４０で読み取られた電子画像情報に所定の処理を施し、これを記憶する。
【００１４】
画像形成部６０は、設定された複写条件にしたがって、複写すべき画像を形成すると共に、著作権管理サーバ２００から受信した認証情報を画像に付加する。尚、認証情報は、画像毎に付加される。したがって、例えば、一の複写用紙に複数の画像を出力する場合には、それぞれの画像に認証情報が付加される。
出力部７０は、画像形成部６０で形成された電子画像情報を複写用紙等の複写媒体へ出力（印刷）する。
【００１５】
コントロールパネル８０は、複写機１０を動作させると共に、複写条件（複写枚数、倍率、両面コピーかあるいは片面コピーか等）の設定を行うためにユーザが操作できるように複写機１０に設けられており、図３に示すように、複写に必要な各種の情報を表示する表示部８１、各種の操作ボタン８２等を備えていると共に、著作権著作物を複写するモードを起動するための起動ボタン８３を備えている。
【００１６】
バーコードリーダ９０は、被複写物に形成された識別情報としてのバーコードを読み取るために設けられている。
コインキット１００は、複写に対する料金を支払うべく、硬貨を受け入れ可能に形成され、投入金額を読み取り、電子情報化された金額情報を制御部２０へ出力する。
【００１７】
著作権サーバ２００は、プロセッサ、メモリ、ハードディスク等のハードウエアと所要のソフトウエアにより構成され、ネットワーク３００によって複写機１０が接続される。著作権サーバ２００は、著作権料を含む著作権に関する情報を管理しており、後述するように、複写機１０から送信されるバーコード情報に対応する著作権情報を検索、特定し、特定した著作権情報と複写機１０から送信される複写条件から複写に対する料金を計算し、料金情報を複写機１０へ送信する。また、著作権サーバ２００は、後述するように、複写機１０において所要の料金が支払われたことを確認すると、複写に対する認証情報を複写機１０へ送信する。
【００１８】
次に、複写機１０による複写作業の一例について、図４ないし図８を参照して説明する。
ここで、図４は複写機における処理の一例を示すフローチャート、図５は著作権管理サーバにおける処理の一例を示すフローチャート、図６はコントロールパネルの表示例を示す図、図７は被複写物としての書籍を裏表紙側から見た斜視図、及び図８は複写機により形成された複写物の一例を示す図である。
【００１９】
複写機１０は、コントロールパネル８０の起動ボタン８３が押されると（ステップＳＴ１）、著作物を複写するモードが起動され、図６（ａ）に示すように、表示部６１にバーコードの読み取りの指示を表示する。
【００２０】
次いで、複写機１０は、書籍、画集等の被複写物に形成されたバーコードをバーコードリーダ９０で読み取る（ステップＳＴ２）。例えば、図７に示すように、書籍４００には、裏表紙にバーコード４０１が形成されており、このバーコード４０１は、例えば、国際標準図書番号（ＩＳＢＮ）等の情報を有しており、著作権管理サーバ２００は、この国際標準図書番号で特定される著作権情報を管理している。
複写機１０は、バーコードリーダ９０で読み取った情報を著作権管理サーバ２００へ送信する（ステップＳＴ３）。尚、例えば、複数の書籍を複写するような場合には、それぞれの書籍から読み取ったバーコード情報が著作権管理サーバ２００へ送信される。
【００２１】
次いで、複写機１０は、その表示部８１に、例えば、図６（ｂ）や図６（ｃ）に示すような、複写条件を設定するための各種の選択画面を表示する。尚、図６（ｂ）は、画像を等倍で複写する、あるいは、Ｎ個の画像を縮小して一枚の複写用紙に複写するかを選択する画面であり、図６（ｃ）は、Ｎ個の画像を複写する条件を選択した場合に表示されて具体的な画像の数を選択する画面である。尚、複写条件の設定は、これらに限らず、複写枚数、両面コピーかあるいは片面コピーか等の種々の設定がなされる。複写条件が設定されると（ステップＳＴ４）、この複写条件が著作権管理サーバ２００に送信される（ステップＳＴ５）。
【００２２】
著作権管理サーバ２００は、図５に示すように、バーコード４０１の情報を受信すると（ステップＳＴ２１）、これに対応する著作権情報を検索し特定する（ステップＳＴ２２）。さらに、複写条件の情報を受信すると（ステップＳＴ２３）、複写条件と著作権情報とから、複写に対する料金を計算し、この料金情報を複写機１０へ送信する（ステップＳＴ２４）。尚、著作権管理サーバ２００は、秘密保持の観点から、料金情報を暗号化して複写機１０へ送信することができる。
【００２３】
複写機１０は、書籍４００の複写に対する料金情報を受信すると、例えば、図６（ｄ）に示すように、著作権に対する料金、コピー料金、及び合計金額等が表示部８１に表示される。ユーザは、この金額を見て、実際に複写するかを判断することができる。
【００２４】
次いで、複写機１０は、複写に必要な料金がコインキット１００へ支払われたことを確認すると（ステップＳＴ７）、著作権管理サーバ２００へ支払い完了信号を送信する（ステップＳＴ８）。
【００２５】
著作権管理サーバ２００は、支払い完了信号を受信すると（ステップＳＴ２５）、認証情報を発行して複写機１００へ送信する（ステップＳＴ２６）。認証情報は、料金が適切に支払われて適法に複写されたことを証明するための情報であり、例えば、書籍の著作権情報、日時、複写機１００の設置場所、複写機１００の機種、支払われた料金等である。また、著作権管理サーバ２００は、複数の書籍を複写する場合には、それぞれの書籍の複写に対する認証情報を発行する。また、著作権管理サーバ２００は、秘密保持の観点から、認証情報を暗号化して送信することができる。
【００２６】
複写機１０は、認証情報を受信すると（ステップＳＴ９）、画像読取部４０による画像の読み取りを可能にする（ステップＳＴ１０）。この状態において、ユーザは、書籍４００から複写条件で設定した枚数の画像を画像読取部４０に読み込ませる。
【００２７】
複写機１０は、読み込んだ画像を画像処理部５０で画像処理したのち、画像形成部６０で複写条件に従って複写用紙に出力（複写）するための画像を形成する（ステップＳＴ１１）。このとき、書籍４００から読み取った画像には、上記の認証情報が付加される。また、一枚の複写用紙に複数の画像を出力する場合には、それぞれの画像に認証情報が付加される。ここで、画像に認証情報を付加する（埋め込む）技術としては、例えば、特開２００２−１３５５５６号公報に開示された技術を用いることができる。
形成された画像は、出力部７０により複写用紙へ出力される（ステップＳＴ１２）。
【００２８】
ここで、一枚の複写用紙に２つの画像を出力する複写条件とした場合には、例えば、図８に示すように、複写用紙５００に複数の画像ＩＭ１，ＩＭ２が形成されると共に、画像ＩＭ１，ＩＭ２に隣接する余白部分に認証情報ＰＲ１，ＰＲ２が形成される。このように、画像毎に認証情報を埋め込むことにより、異なる書籍等からそれぞれ画像情報を読み取って一の複写用紙に出力するような場合に、一の複写用紙に形成された画像毎に正当に複写されたものであるかを判別可能となる。
また、認証情報の埋め込み位置は、特に限定されないが、複写用紙に余白が確保できる場合には、余白部分に形成すれば、複写した画像の品質を維持することができる。また、認証情報は、改ざん防止の観点から、バーコードやその他のコードに変換して埋め込んでもよい。
【００２９】
以上のように、本実施形態によれば、書籍等の著作物を複写機１０により複写するに際して、バーコードリーダ９０により著作物に形成されたバーコードを読み取ると共にコントロールパネル８０で設定した複写条件を著作権管理サーバ２００へ送信し、著作権管理サーバ２００において著作権情報の管理、複写に対する料金計算、複写に対する認証情報の発行等を一括して行うため、複写機１０の処理量を大幅に軽減できて、複写機１０のコストを低減できる。
また、本実施形態によれば、読み取った画像に認証情報を付加して複写用紙に出力するので、画像が複写された複写用紙から正当な複写が行われたことを判別できる。
【００３０】
上記実施形態では、複写に対する料金の支払いをコインキット１００により行う場合について説明したが、本発明はこれに限定されるものではなく、プリペイドカード、クレジットカード等の他の支払手段を採用することも可能である。
【００３１】
上記実施形態では、被複写物に形成された識別情報として、バーコードの場合について説明したが、これに限定されるわけではなく、著作権情報を特定できれば他の識別情報を用いることも可能である。また、識別情報読取手段として、バーコードリーダ９０を例に挙げて説明したが、これに限定されるわけではなく、識別情報の形態に応じて適宜選択できる。
【００３２】
上記実施形態では、通信手段としてネットワーク３００を例に挙げて説明したが、これに限定されるわけではなく、著作権管理サーバ２００と複写機１０との間でデータの送受ができれば他の通信手段を用いることも可能である。
【００３３】
上記実施形態では、本発明の複写機として、光学的に画像を読み取ってこれを複写用紙に出力するディジタル複写機の場合について説明したが、これに限定されるわけではなく、例えば、読み取った画像を半導体メモリ等の複写媒体へ出力する複写装置にも適用可能である。また、スキャナー、プリンタ等を互いに接続して複写装置を構成することも可能である。
【図面の簡単な説明】
【００３４】
【図１】本発明に係る複写管理システムの一実施形態を示す図である。
【図２】複写機の機能ブロック図である。
【図３】コントロールパネルの外観図である。
【図４】書籍（著作物）を複写する際の複写機の処理の一例を示すフローチャートである。
【図５】著作権管理サーバにおける処理の一例を示すフローチャートである。
【図６】コントロールパネルの表示部の表示例を示す図である。
【図７】バーコードが形成された被複写物（書籍）を示す図である。
【図８】複写機から出力された複写物の一例を示す図である。
【符号の説明】
【００３５】
１０…ディジタル複写機（複写装置）
２０…制御部
３０…通信部
４０…画像読取部
５０…画像処理部
６０…画像形成部
７０…出力部
８０…コントロールパネル
９０…バーコードリーダ（識別情報読取手段）
１００…コインキット
２００…著作権管理サーバ
３００…ネットワーク（通信手段）
４００…書籍（被複写物）
４０１…バーコード（識別情報）
５００…複写用紙（複写媒体）
ＩＭ１，ＩＭ２…画像
ＰＲ１，ＰＲ２…認証情報
【図１】
2006270243.tif 000003
【図２】
2006270243.tif 000004
【図３】
2006270243.tif 000005
【図４】
2006270243.tif 000006
【図５】
2006270243.tif 000007
【図６】
2006270243.tif 000008
【図７】
2006270243.tif 000009
【図８】
2006270243.tif 000010